(57)【要約】【課題】ある言語を翻訳するに際し、複数の訳語が存在する時、適切な訳語を迅速に選択可能とすることにある。【解決手段】ハイパーテキストの文書画面の行き先（ＵＲＬ）を指定し、ＷＷＷサーバ２から原文となる言語のホームページに係わる文書または当該文書のリンク先の文書を取り込む原文文書取り込み手段と、この原文文書取り込み手段によって取り込んだ原文となる言語のホームページに係わる文書または当該文書のリンク先の文書を翻訳する際、複数の訳語が存在するとき、前記原文となる言語のホームページに係わる文書のリンク先に対訳言語の文書が存在するとき、当該対訳言語の文書を参照し、その中に原文の単語に対応する訳語があれば、当該訳語を優先選択して翻訳する訳語選択参照手段とを備えた翻訳システムである。【選択図】      図４
2007133906.tif 000002
【特許請求の範囲】
【請求項１】
ハイパーテキストの文書画面の行き先（ＵＲＬ）を指定し、ＷＷＷサーバから原文となる言語のホームページに係わる文書または当該文書のリンク先の文書を取り込む原文文書取り込み手段と、この原文文書取り込み手段によって取り込んだ原文となる言語のホームページに係わる文書または当該文書のリンク先の文書を翻訳する際、複数の訳語が存在するとき、前記原文となる言語のホームページに係わる文書のリンク先に対訳言語の文書が存在するとき、当該対訳言語の文書を参照し、その中に原文の単語に対応する訳語があれば、当該訳語を優先選択して翻訳する訳語選択参照手段とを備えたことを特徴とする翻訳システム。
【請求項２】
ＷＷＷサーバから原文となる言語のホームページに係わる文書または当該文書のリンク先の文書を翻訳するとき、前記原文となる言語のホームページに係わる文書のリンク先の対訳言語の文書を参照し、原文の単語に対応する訳語を選択し翻訳することを特徴とする翻訳処理方法。
【請求項３】
ＷＷＷサーバから原文となる言語のホームページに係わる文書または当該文書のリンク先の文書を翻訳するプログラムを読込み可能に記録した翻訳処理用記録媒体であって、翻訳システムのコンピュータに、
前記ハイパーテキストの文書画面の行き先（ＵＲＬ）を指定し、ＷＷＷサーバから原文となるホームページに係わる文書または当該文書のリンク先の文書を取り込む文書取り込み機能と、
この文書取り込み機能によって取り込んだ原文となるホームページに係わる文書または当該文書のリンク先の文書を翻訳辞書に登録する訳語を用いて翻訳処理する翻訳処理機能と、
この翻訳処理機能によって前記文書の翻訳をする際、複数の訳語が存在するとき、前記原文となるホームページに係わる文書のリンク先に対訳言語の文書が存在するとき、当該対訳言語の文書を参照し、その中に原文の単語に対応する訳語があれば、当該訳語を優先選択して翻訳する訳語選択参照機能と、
を実現させるためのプログラムを記録したコンピュータ読み取り可能な翻訳処理用記録媒体。
【発明の詳細な説明】
【技術分野】
【０００１】
本発明は、辞書を構築するための翻訳システム、翻訳処理方法および翻訳処理用記録媒体に関する。
【背景技術】
【０００２】
機械翻訳システムは、原文を翻訳処理するときに用いる訳語を記憶する翻訳辞書部およびある言語の原文に対して翻訳辞書から複数の訳語を取り出し、その中から適切と思われる１つの訳語を選択し所要の言語に翻訳する翻訳処理部などで構成されている。
【０００３】
ところで、翻訳辞書の構築にあっては、専門分野の辞書（書籍）から原文の各単語ごとに適切と思われる複数の訳語を取り出して翻訳辞書に登録するとか、或いは予め既に多数の対訳データが用意されていれば、その対訳データを用いて翻訳辞書を構築することは既に知られている。
【発明の開示】
【発明が解決しようとする課題】
【０００４】
しかしながら、以上のような翻訳辞書を構築するに際し、各原文の単語ごとに同一の意味、内容をもつ対訳データが大量に必要となるが、現在のところ実際の翻訳処理の実用に耐えうるだけの対訳データの入手が困難である。
【０００５】
また、翻訳辞書には各原文の単語ごとに複数の訳語が登録されているので、ある１つの原文の翻訳に対し、複数の訳語が選択対象として出てくることが多い。今、１つの原文である例えば「ＰＣ」に対して、日本語の訳語では例えば「パソコン」、「プログラム  カウンター」、「プログラマブル  コントローラ」、「プリント回路」、「加圧コンクリート」などが出てくるが、これらの中から何れを用いるかを判断する必要がある。従来の機械翻訳システムでは、文書の分野、他の語句との関係から適切な訳語を判断するが、例えば「ｇｉｒｌ」を「少女」と訳すか、「乙女」と訳すかはそのどちらでも判断できなかった。
【０００６】
さらに、翻訳辞書の構築にあっては、翻訳の品質を高める観点から、原文文書と訳文文書との対が必要となるが、これら対となる対応文書を得ることが難しい。
【０００７】
本発明は上記実情に鑑みてなされたもので、ある言語を翻訳するに際し、複数の訳語が存在する時、適切な訳語を迅速に選択可能とする翻訳システムを提供することにある。
【０００８】
さらに、本発明は、ある言語を翻訳するに際し、複数の訳語が存在する時、適切な訳語を迅速に選択する翻訳処理方法を提供することにある。
【０００９】
さらに、本発明は、ある言語を翻訳するに際し、複数の訳語が存在する時、適切な訳語を選択するための翻訳処理用記録媒体を提供することにある。
【課題を解決するための手段】
【００１０】
上記課題を解決するために、請求項１に対応する発明は、ハイパーテキストの文書画面の行き先を指定し、ＷＷＷサーバから原文となる言語のホームページに係わる文書または当該文書のリンク先文書を取り込む原文文書取り込み手段と、この原文文書取り込み手段によって取り込んだ原文となる言語のホームページに係わる文書または当該文書のリンク先の文書を翻訳する際、複数の訳語が存在するとき、前記原文となる言語のホームページに係わる文書のリンク先に対訳言語の文書が存在するとき、当該対訳言語の文書を参照し、その中に原文の単語に対応する訳語があれば、当該訳語を優先選択して翻訳する訳語選択参照手段とを設けた翻訳システムである。
【００１１】
この請求項１に対応する発明は、以上のような手段を講じたことにより、ＷＷＷサーバから原文となる言語のホームページに係わる文書を取り込み、翻訳辞書を用いて翻訳するが、このとき文書のある単語に複数の訳語があれば、原文となる言語のホームページに係わる文書のリンク先に訳語の言語をもつ文書の中に前記単語の訳語があれば、それを優先的に選択し翻訳するので、適切な訳語を用いて精度よく翻訳できる。
【００１２】
また、請求項２に対応する発明は、ＷＷＷサーバから原文となる言語のホームページに係わる文書または当該文書のリンク先文書を翻訳する際、原文となる言語のホームページに係わる文書のリンク先の対訳言語の文書を参照し、原文の単語に対応する訳語を選択し翻訳することにより、適切な訳語を迅速に選択できる。
【００１３】
さらに、請求項３に対応する発明は、ＷＷＷサーバから原文となる言語のホームページに係わる文書または当該文書のリンク先の文書を翻訳するプログラムを記録した翻訳処理用記録媒体であって、翻訳システムのコンピュータに、
前記ハイパーテキストの文書画面の行き先（ＵＲＬ）を指定し、ＷＷＷサーバから原文となるホームページに係わる文書または当該文書のリンク先の文書を取り込む文書取り込み機能と、この文書取り込み機能によって取り込んだ原文となるホームページに係わる文書または当該文書のリンク先の文書を翻訳辞書に登録する訳語を用いて翻訳処理する翻訳処理機能と、この翻訳処理機能によって前記文書の翻訳をする際、複数の訳語が存在するとき、前記原文となるホームページに係わる文書のリンク先に対訳言語の文書が存在するとき、当該対訳言語の文書を参照し、その中に原文の単語に対応する訳語があれば、当該訳語を優先選択して翻訳する訳語選択参照機能とを実現させるためのプログラムを記録したコンピュータ読み取り可能な翻訳処理用記録媒体である。
【００１４】
このような翻訳処理用記憶媒体によれば、ある言語を翻訳するに際し、複数の訳語が存在する時、適切な訳語を選択し翻訳処理できる。
【発明の効果】
【００１５】
本発明によれば、次のような種々の効果を奏する。
【００１６】
請求項１および２の発明では、ＷＷＷサーバから原文となるホームページに係わる文書を取り込んで翻訳するに際し、複数の訳語が存在する時、原文となるホームページに係わる文書のリンク先に訳語となるホームページに係わる文書があれば、当該文書に存在する訳語を優先的に選択し翻訳するので、適切な訳語を選択して精度の高い翻訳を行うことができる。
【００１７】
請求項３の発明では、ＷＷＷサーバから原文となるホームページに係わる文書を取り込んで翻訳するに際し、複数の訳語が存在する時、ホームページに係わる文書にとって適切な訳語を選択できる翻訳処理用記録媒体を提供できる。
【発明を実施するための最良の形態】
【００１８】
（辞書構築支援システムに係わる発明の実施の形態）
図１は本発明に係わる辞書構築支援システムの一実施の形態を示す機能ブロック図である。
【００１９】
このシステムは、ＷＷＷブラウザで作成されるハイパーテキストなどの文書をもつコンピュータによって構成される機械翻訳システム１と、同じくコンピュータで構成され、例えば日本語ホームページに係わる文書および日本語ホームページと対の関係にある日本語以外の言語で作成されるホームページに係わる文書をもつ複数のＷＷＷサーバ２１、…、２ｎがネットワーク３に接続されている。
【００２０】
この機械翻訳システム１は、大きく分けて第１の言語を第２の言語に翻訳処理するための訳語を決定し登録する辞書構築支援システム１０と、ある言語の原文に対して構築された翻訳辞書の訳語を用いて翻訳処理を行う翻訳処理構成部分２０とから成る。
【００２１】
この辞書構築支援システム１０は、入力部１１、表示部１２、辞書構築支援用記録媒体１３、データ記憶部１４、ＣＰＵで構成される辞書構築支援処理部１５、同一内容判定部１６および通信制御部１７等によって構成されている。
【００２２】
入力部１１は、ハイパーテキストの文書画面表示指示その他必要なデータ、コマンドを入力するもので、通常、キーボード、ＯＣＲ、タブレット、マウス、ライトペン或いはＦＤＤ、ネットワークなどが用いられ、ハイパーテキストの文書画面の絵または文章などの行き先（ＵＲＬ）をマウスでクリックすることにより、行き先となるＷＷＷサーバの例えば日本語および日本語以外の言語のホームページに係わる文書を取り込む機能をもっている。
【００２３】
前記表示部１２は、ハイパーテキストの文書画面の表示、ＷＷＷサーバから取り込むホームページデータの表示その他入力部１１から入力されるデータやデータ記憶部１４に記憶されるデータ等を表示するものであって、ＣＲＴ、ピットマップディスプレイ、投影される壁面やゴーグルなどが用いられる。
【００２４】
前記辞書構築支援用記録媒体１３は、例えば後記する図３に示すような辞書構築支援用プログラムを格納するためのものであって、通常、磁気的、電気的、光学的、機械的などの記憶素子、つまり、ＦＤＤ、ＣＤ  ＲＯＭ、磁気ディスク、光ディスクなどが用いられる。また、この記憶媒体１３は、辞書構築支援用プログラムだけでなく、必要に応じて翻訳処理上必要なプログラム例えば画像表示用プログラム、通信制御用プログラムなどを記憶する。
【００２５】
前記データ記憶部１４は、ＷＷＷサーバから取り込んだ日本語またおよび日本語以外の言語のホームページに係わる文書データや辞書構築支援処理過程のデータ、さらに入力部１１から入力されたデータなどを記憶するものであって、磁気的、電気的、光学的、機械的な記憶素子などが用いられる。
【００２６】
前記辞書構築支援処理部１５は、辞書構築支援用記録媒体１３に記憶される辞書構築支援用プログラムを用いて辞書構築支援処理を実行したり、入力部１１から入力されるホームページデータの取り込みアドレスまたはコマンドなどを出力する機能をもっている。
【００２７】
前記同一内容判定部１６は、ＷＷＷサーバから取り込んだ例えば日本語ホームページに係わる文書と日本語以外の言語のホームページに係わる文書とが同一の意味、内容をもっているか否かを判定し、互いに同一の意味、内容をもっているとき、原文文書（例えば英語ホームページ文書）と訳文文書（例えば日本語ホームページ文書）が対応関係にあって対訳データ可能と判断する。この判定処理にあっては、一定の条件を必要とする。それは、両ホームページに係わる文書の中に存在するイメージデータ、グラフ、図柄、さらにリンク先などが同一であるとき、または割合が一定値以上のとき、両言語のホームページに記載される文章が同じ意味、内容を異なる２つの言語で表現していると判定する。さらに、この判定処理は、必ずしもイメージデータ、グラフ、図柄、さらにリンク先その他全部が完全に一致しても、記載されている文章が異なる場合もあるので、さらに文章どうしを比較し、少なくとも例えば８０％以上同一であれば、残りの２０％も同一であると判定してもよい。
【００２８】
前記通信制御部１７は、リンク先アドレスの発信やホームページの取り込みアドレスまたはコマンドの発信、ホームページの取り込みなどを行う機能をもっている。
【００２９】
前記機械翻訳処理構成部分２０は、ある言語の原文を所要とする他の言語に翻訳処理する従来公知の構成を用いるものであって、例えばある言語の原文を入力したり、他のコンピュータのＦＤから原文文書を入力したり、或いはネットワークから送られてくるデータを入力する入力部、この入力部から入力されるデータや翻訳結果を表示する表示部、翻訳辞書や翻訳上の文法等を記憶するデータ記憶部、入力部から入力される原文を翻訳辞書や翻訳上の文法を用いて所定の言語に翻訳する翻訳処理部その他必要な構成部分をもっている。
【００３０】
なお、機械翻訳処理構成部分２０の入力部、表示部、データ記憶部は、辞書構築支援システム１０の入力部１１、表示部１２、データ記憶部１４等をそのまま用いてもよい。
【００３１】
次に、以上のような辞書構築支援システム１０の動作を説明するに先立ち、ＷＷＷサーバのホームページに係わる文書を対訳データとすることの意義を説明する。
【００３２】
例えばインターネットのＷＷＷサーバ２１、…、２ｎの中には、自国語および外国語向けのホームページを作成し開示している場合があるが、例えば英語で記載されているホームページの文書に「日本語はここ」とか、逆に日本語のホームページの文書に「ｆｏｒ  Ｅｎｇｌｉｓｈ」とか記載されているとき、そのリンク先部分をクリックすれば、日本語と英語のホームページに係わる文書をダウンロードできる。しかし、これら両言語のホームページに係わる文書が同一の意味、内容をもつ保証はない。そこで、両言語のホームページに係わる文書が同一の意味、内容をもつか否かを判定し、同一の意味、内容をもつものであれば、両ホームページに記載される文章は対の関係にあり、非常に好ましい対訳データとなり、ひいては対訳データの量は大量に確保可能となる。
【００３３】
以上のようなインターネットのホームページの性質を踏まえて本発明システムを実現したものであり、以下、システムの動作を説明する。
【００３４】
入力部１１からの指示に基づき、表示部１２にハイパーテキストの初期画面或いは所要の画面を表示した後、画面上の行き先（ＵＲＬ）をクリックすると、辞書構築支援処理部１５は、辞書構築支援用記録媒体１３に格納されるプログラムを読み取って辞書構築支援処理を実行する。
【００３５】
この辞書構築支援処理は、入力部１１からの指定に基づく行き先（ＵＲＬ）アドレスおよびホームページ取り込み用コマンドを通信管理制御部１７を介して例えばＷＷＷサーバ２1に発信し、当該ＷＷＷサーバ２1の例えば英語ホームページに係わる文書を取り込んでデータ記憶部１４に記憶する一方、表示部１２に表示する。
【００３６】
この英語ホームページに係わる文書から例えば「日本語はここ」と記載されているとき、そのリンク先部分をクリックし、日本語のホームページも取り込んでデータ記憶部１４に記憶する一方、表示部１２に表示する。逆に、日本語ホームページに係わる文書を取り込み、その文章の中に例えば「ｆｏｒ  Ｅｎｇｌｉｓｈ」と記載されている場合も同様にそのリンク先部分をクリックし、英語ホームページに係わる文書を取り込む。
【００３７】
しかる後、辞書構築支援処理部１５は、両言語のホームページに係わる文書の意味、内容の同一性を同一内容判定部１６に依頼する。この同一内容判定部１６は、両ホームページに係わる文書の中に存在するイメージデータ、グラフ、図柄、さらにリンクする先などが同一であるか否かを判定する。通常、同じイメージデータ、グラフなどが使用されているとき、両言語のホームページに記載される文章の意味、内容が同じである場合が多いためである。
【００３８】
さらに、必要に応じて、イメージデータ、グラフ、図柄、さらにリンク先などのデータが同一であることを条件に、或いはこれらイメージデータ、グラフ、図柄、リンク先などのデータの同一を条件とせずに、両言語のホームページに記載される文章について、各言語の文法に基づいて文章を比較し、何％同一であるか否かを調べる。ここで、少なくとも８０％以上同一であれば、他の残りの２０未満の文章も同一であると判定し、辞書構築支援処理部１５に通知する。
【００３９】
ここで、辞書構築支援処理部１５は、日本語と英語のホームページに係わる文書から順次原文の単語と訳文の単語とを対の形で取り出し、対訳語としてデータ記憶部１４または図示されていないが翻訳処理構成部分２０の翻訳辞書に登録していく。
【００４０】
従って、以上のような実施の形態によれば、同一のＷＷＷサーバの異なる両言語のホームページに係わる文書を取り込み、一定の条件のもとに同一性を調べ、両ホームページが同一であると判定するので、両言語のホームページに記載される文章を対訳データとして取得でき、国内および外国から発信されるホームページが無数存在することを考えれば、大量の対訳データを入手できる。しかも、辞書構築支援用プログラムに基づいて自動的に辞書構築支援処理を実行するので、それ程コストおよび時間を必要とせずに対訳データを入手でき、また精度の高い翻訳辞書を容易に構築することができる。
【００４１】
（翻訳処理方法および翻訳処理用記録媒体に係わる発明の実施の形態）
図２は翻訳処理用記録媒体を用いた辞書構築支援システムの一実施形態を示す図、図３は翻訳処理用記録媒体のプログラムを用いて翻訳処理を行う翻訳処理方法を説明するフローチャートである。なお、図２において図１と同一機能部分には同一の符号を付して説明する。
【００４２】
この辞書構築支援システム１０は、多数のＷＷＷサーバ２、…をもつコンピュータネットワーク３に接続されている。
【００４３】
入力部１１は、ハイパーテキストの文書画面に基づきマウスなどで行き先（ＵＲＬ）をクリックし、行き先となるＷＷＷサーバの例えば日本語および日本語以外の言語のホームページに係わる文書を取り込む指示を行う。通常、キーボード、ＯＣＲ、タブレット、マウス、ライトペン或いはＦＤＤ、ネットワークなどが用いられる。
【００４４】
表示部１２は、ハイパーテキストの文書画面の表示、ＷＷＷサーバから取り込むホームページに係わる文書の表示その他入力部１１から入力されるデータやデータ記憶部１４に記憶されるデータ等を表示するものであって、ＣＲＴ、ピットマップディスプレイ、投影される壁面やゴーグルなどが用いられる。
【００４５】
辞書構築支援用記録媒体１３は図３に示すフローチャートに示すプログラムが格納されている。データ記憶部１４は図１で説明したような必要なデータを記憶する。
【００４６】
辞書構築支援処理本体部１８は、ＣＰＵで構成され、辞書構築支援用記録媒体１３に格納されるプログラムを読み取って、図１に示す辞書構築支援処理部１５および同一内容判定部１６と同様な機能を行う。機能分けすると、辞書構築支援処理本体部１８は、あるＷＷＷサーバ２から両ホームページの文書を取り込むホームページ取り込み機能、これら両ホームページの同一性を判定する同一性判定機能、両ホームページの文書が同一であるとき、原文文書と対訳文書とを対の形で翻訳辞書に登録する対訳データ登録機能を実現する。
【００４７】
次に、辞書構築支援処理本体部１８が辞書構築支援用記録媒体１３に格納されているプログラムに基づいて図３に示す辞書構築支援処理を実行する。
【００４８】
入力部１１からの指示に基づき、表示部１２にハイパーテキスト画面を表示した後、行き先（ＵＲＬ）をクリックすると、ＣＰＵで構成される辞書構築支援処理本体部１８は、辞書構築支援用記録媒体１３のプログラムを読み取って辞書構築支援処理を実行する。
【００４９】
この辞書構築支援処理本体部１８は、ホームページ取り込み機能を実行する。つまり、行き先のクリックによって指定されたＷＷＷサーバ２のある言語で記載されるホームページＡを取り込んでデータ記憶部１４に記憶するとともに、表示部１２に表示する（ＳＴ１）。しかる後、このホームページＡの中に他の言語で書かれたホームページを示す部分があるか否かを判断する（ＳＴ２）。ここで、他の言語で書かれたホームページを示す部分があれば、そのホームページＢを読み込んで同様にデータ記憶部１４に記憶するとともに、表示部１２に表示する（ＳＴ３）。
【００５０】
次に、辞書構築支援処理本体部１８は同一性判定機能を実行する。この同一性判定機能は、両ホームページＡ、Ｂの中からイメージデータ、グラフ、図柄、さらにリンクする先などの情報Ｃ、Ｄを抽出する（ＳＴ４）。そして、これら情報Ｃ、Ｄが予め定めた割合（例えば８０％）以上一致するか否かを判断する（ＳＴ５）。ここで、情報Ｃ、Ｄが予め定めた割合以上一致すると、両ホームページに記載される文章は同一であると判定する。
【００５１】
さらに、必要に応じて、イメージデータ、グラフ、図柄、さらにリンクする先などのデータが予め定めた割合以上一致することを条件に、或いはこれらイメージデータ、グラフ、図柄、リンクする先などのデータの一定割合以上の同一を条件とせずに、両ホームページに記載される文章について、各言語の文法に基づいて文章を比較し、どの程度の割合で同一であるか否かを調べる。ここで、少なくとも８０％以上同一であれば、他の残りの２０未満の文章も同一であると判定する。
【００５２】
引き続き、辞書構築支援処理本体部１８は、両ホームページに記載される文章が同一であると判定されたとき、両ホームページから順次原文の単語と訳文の単語とを対の形で取り出し、対訳データとしてデータ記憶部１４または機械翻訳処理システムの翻訳辞書に順次登録する（ＳＴ６）。
【００５３】
以上のような翻訳処理方法の実施の形態によれば、特別に専門辞書や対訳データを見つけ出すことなく、異なる両言語のホームページから大量の対訳データを迅速、かつ、低コストで適当な時間に入手しつつ、正確な翻訳辞書を容易に構築することができる。
【００５４】
また、以上のような翻訳処理用記録媒体を用いた辞書構築支援システムによれば、同一のＷＷＷサーバのある言語のホームページから他の言語のホームページを容易に探し出して取り込むことができる。また、両ホームページの中から一定の条件のもとに両ホームページに記載される文章の同一性をほぼ正確に判定できる。さらに、両ホームページに記載される文章が同一と判定したとき、かかる文章を原文文書と対訳文書とを対の形で取り出し、対訳データとして翻訳辞書に登録できる。
【００５５】
なお、記録媒体としては、ＣＤ−ＲＯＭを用いるが、それ以外には例えば磁気テープ、ＤＶＤ−ＲＯＭ、フロッピー（登録商標）ディスク、ＭＯ、ＭＤ、ＣＤ−Ｒ、メモリカードなどを用いてもよい。
【００５６】
（翻訳処理システムに係わる発明の実施の形態）
図４は本発明に係わる翻訳システムの一実施の形態を示す機能ブロック図である。
【００５７】
このシステムは、図１と同様に、ＷＷＷブラウザで作成されるハイパーテキストなどの文書をもつコンピュータによって構成される翻訳システム１がコンピュータネットワーク３を介して日本語以外の言語例えば第１の英語ホームページＰ１、そのリンク先となる第２の英語ホームページＰ２および日本語ホームページＰ３などをもつ少なくとも１台のＷＷＷサーバ２、…が接続されている。
【００５８】
この翻訳システム１は、入力部３１、表示部３２、翻訳処理用記録媒体３３、データ記憶部３４、翻訳辞書や翻訳処理用文法を記憶する辞書・文法記憶部３５、翻訳処理制御部３６、訳語選択参照部３７および通信制御部３８等によって構成されている。
【００５９】
前記入力部３１は、ハイパーテキストの文書画面表示指示その他必要なデータ、コマンドを入力するもので、通常、キーボード、ＯＣＲ、タブレット、マウス、ライトペン或いはＦＤＤ、ネットワークなどが用いられ、ハイパーテキストの文書画面に基づきマウスなどで行き先（ＵＲＬ）をクリックし、ＷＷＷサーバ２から例えば日本語および日本語以外の言語のホームページに係わる文書を取り込む機能をもっている。
【００６０】
前記表示部３２は、ハイパーテキストの文書画面の表示、ＷＷＷサーバ２から取り込むホームページデータに係わる文書の表示その他入力部３１から入力されるデータなどを表示するものであって、ＣＲＴ、ビットマップディスプレイ、投影される壁面やゴーグルなどが用いられる。
【００６１】
前記翻訳処理用記録媒体３３は、ある言語の原文を所要の言語に翻訳する時に用いられるプログラムを格納するものであるが、その他例えば通信制御用プログラムや表示処理用プログラムなども格納されている。データ記憶部３４は、ハイパーテキストの文書の表示画面データ、ＷＷＷサーバ２から取り込むホームページに係わる文書、入力部３１から入力される翻訳原文その他翻訳処理によって得られる翻訳結果などを記憶する。辞書・文法記憶部３５は、第１言語の原文単語を所要とする第２言語の単語に翻訳する訳語の他、第１言語の原文単語を第２言語の単語に翻訳するときの文法データが記憶されている。
【００６２】
これら翻訳処理用記録媒体３３、データ記憶部３４および辞書・文法記憶部３５は、通常、磁気的、電気的、光学的、機械的などの記憶素子、つまり、ＦＤＤ、ＣＤ  ＲＯＭ、磁気ディスク、光ディスクなどが用いられており、かつ、これらが一体または別体の記録媒体であってもよい。
【００６３】
前記翻訳処理制御部３６は、翻訳処理用記録媒体３３に記憶される舗訳処理用プログラムを用いて翻訳処理を実行したり、入力部３１から入力されるホームページデータの取り込みコマンドなどを出力したり、各構成部分を統括制御する機能をもっている。
【００６４】
前記訳語選択参照部３７は、翻訳処理制御部３６において例えば英語ホームページに係わる文書を翻訳する時、辞書・文法記憶部３５から複数の訳語が抽出された時、英語ホームページに係わる文書のリンク先に日本語のホームページに係わる文書が存在するとは、この日本語のホームページに係わる文書中に含まれている語句を訳語として優先的に選択し、翻訳処理制御部３６に提供する機能をもっている。
【００６５】
前記通信制御部３８は、ＵＲＬアドレスの発信やホームページの取り込みコマンドの発信、ホームページデータの取り込みなどを行う機能をもっている。
【００６６】
次に、以上のような構成の翻訳システムの動作について説明する。
【００６７】
入力部３１から翻訳すべき原文を入力すると、翻訳処理制御部６は、入力部３１からの原文をデータ記憶部３４に記憶した後、当該原文に関し、辞書・文法記憶部３５の辞書から所要の言語に関連する文法規則にしたがって訳語を取り出して表示部３２に表示し、複数の訳語があるとき適宜選択し、翻訳結果としてデータ記憶部３４に記憶する。そして、原文の翻訳結果を表示部３２に表示する。
【００６８】
ここで、翻訳処理制御部６は、例えば原文の収集がハイパーテキストに基づくホームページに係わる文書の翻訳の場合には次のような処理を行う。
【００６９】
先ず、予め翻訳処理制御部３６が通信制御部３８を介してＷＷＷサーバ２から例えば英語ホームベージＰ１に係わる文書または当該文書のリンク先である例えば英語ホームページＰ２に係わる文書を取り込み、データ記憶部３４に記憶し、かつ、表示部３２に表示する。そして、翻訳処理制御部６において取り込んだ文書について、辞書・文法記憶部３５の辞書および文法に従って翻訳処理を行う。
【００７０】
ところで、この原文である英語のホームページに係わる文書のある単語を翻訳する際、辞書・文法記憶部３５から複数の訳語が抽出されたとき、前記ＷＷＷサーバ２の英語ホームページに係わる文書Ｐ１またはこの文書Ｐ１のリンク先である英語ホームページに係わる文書Ｐ２にリンクされている訳語言語つまり日本語ホームページに係わる文書Ｐ３があれば、当該文書Ｐ３を取り込んで訳語選択参照部３７に記憶する。そして、この日本語ホームページに係わる文書Ｐ３の中に文書Ｐ１またはＰ２の単語に対応する訳語があれば、その訳語を優先的に選択し翻訳結果とするので、翻訳品質の向上を図ることができる。
【００７１】
従って、以上のような実施の形態によれば、ＷＷＷサーバ２の原文の文書を翻訳するとき、第１義的には辞書・文法記憶部３５の訳語を用いて翻訳するが、複数の訳語あるとき、ＷＷＷサーバ２の原文文書にリンクされている訳語言語の文書の中に対応する訳語があるとき、その訳語を優先的に選択し翻訳結果とするので、翻訳品質の向上を図ることができる。
【００７２】
（翻訳処理方法および翻訳処理用記録媒体に係わる発明の実施の形態）
図５は翻訳処理用記録媒体の翻訳処理用プロブラムを読み取って所定の機能を実現する翻訳処理システムの一実施形態を示す図、図６は翻訳処理用プログラムを用いて翻訳処理を行う翻訳処理方法を説明するフローチャートである。なお、図５において図４と同一機能部分は同一の符号を付して説明する。
【００７３】
この翻訳処理システム１は、多数のＷＷＷサーバ２、…をもつコンピュータネットワーク３に接続されている。
【００７４】
入力部１１（通信制御部３８）は、翻訳しようとする原文を入力する部分であって、例えばハイパーテキストの文書画面に基づきマウスなどで行き先（ＵＲＬ）をクリックし、行き先となるＷＷＷサーバから例えば原文である英語ホームページに係わる文書または当該文書のリンク先である英語ホームページに係わる文書を取り込む指示を入力し、さらに翻訳処理制御指示や前記ホームページに係わる文書と同一の意味、内容をもつ日本語ホームページに係わる文書を取り込む指示を入力するものであって、通常、キーボード、ＯＣＲ、タブレット、マウス、ライトペン或いはＦＤＤ、ネットワークなどが用いられる。表示部１２は、ハイパーテキストの文書画面の表示、ＷＷＷサーバから取り込むホームページデータの表示、その他入力部１１から入力される原文や翻訳結果を表示するものであって、ＣＲＴ、ビットマップディスプレイ、投影される壁面やゴーグルなどが用いられる。
【００７５】
前記翻訳処理用記録媒体３３は、ある言語の原文を所要の言語に翻訳する時に用いられるプログラムを格納するものであって、例えば図６に示すようなフローチャートに示す翻訳処理を実行する。データ記憶部３４は、ハイパーテキストの文書の表示画面データ、ＷＷＷサーバ２から取り込む原文となるホームページに係わる文書またはそのリンク先の文書、その他翻訳結果のデータを記憶するものである。辞書・文法記憶部３５は、第１言語の原文単語を所要とする第２言語の単語に翻訳する訳語を記憶する他、第１言語の原文単語を第２言語の単語に翻訳するときの文法データが記憶されている。これら翻訳処理用記録媒体３３、データ記憶部３４および辞書・文法記憶部３５は、通常、磁気的、電気的、光学的、機械的などの記憶素子、つまり、ＦＤＤ、ＣＤ  ＲＯＭ、磁気ディスク、光ディスクなどが用いられており、かつ、これらが一体または別体の記録媒体であってもよい。
【００７６】
前記翻駅処理制御本体部３９は、ＣＰＵで構成され、翻訳処理用記録媒体１３に格納されている翻訳処理プログラムを読み取って図６に示す翻訳処理を実行する機能をもっている。この翻訳処理制御本体部３９について機能分けすると、ＷＷＷサーバ２から原文となる日本語以外の言語例えば英語ホームページに係わる文書およびその文書のリンク先の英語ホームページに係わる文書を取り込む原文取り込み機能、この原文取り込み機能によって取り込んだ原文に基づいて翻訳辞書から訳語を取り出して翻訳する翻訳処理機能、この翻訳処理機能の段階で複数の訳語を抽出したとき、前記英語ホームページに係わる文書からリンク先の日本語ホームページに係わる文書を取り込んで参照し、この文書に含まれる語句を優先的に訳語として選択する訳語選択参照機能を実現する。
【００７７】
次に、翻訳処理制御本体部３９が翻訳処理用記録媒体３３に格納されるプログラムに基づいて図６に示す翻訳処理を実行する。
【００７８】
翻訳処理制御本体部３９においては、翻訳処理用記録媒体３３のプログラムに基づいて原文取り込み機能を実現する。
【００７９】
すなわち、入力部３１からの指示に基づき、ハイパーテキストの文書に係わる翻訳か否かを判断する（ＳＴ１１）。ここで、一般の翻訳処理の場合には、従来公知の手段、つまり入力部３１から入力される翻訳原文を受け、辞書・文法記憶部３５の訳語を抽出し選択確認して翻訳結果を得る（ＳＴ１２）。
【００８０】
ステップＳＴ１１においてハイパーテキストの文書に係わる翻訳である場合には、行き先（ＵＲＬ）リンクをクリックするとともに、ホームページ取り込みコマンドを発信し、ＷＷＷサーバ２から原文となる例えば英語ホームページに係わる文書およびその文書のリンク先の英語ホームページに係わる文書を取り込み、データ記憶部３４に記憶するとともに、表示部３２に表示する（ＳＴ１３）。
【００８１】
しかる後、翻訳処理制御本体部３９は、翻訳処理用記録媒体３３のプログラムに基づいて翻訳処理を実現する。この翻訳処理は、原文となる例えば英語ホームページに係わる文書について辞書・文法記憶部３５の文法に従って辞書から順次訳語を抽出した後、原文である文書のある単語に関し、複数の訳語があるか否かを判断する（ＳＴ１４）。ここで、訳語が１つしかないとき、その訳語を用いて翻訳結果を得る。
【００８２】
次に、翻訳処理制御本体部３９は、翻訳処理用記録媒体３３のプログラムに基づいて訳語選択参照機能を実現する。この訳語選択参照機能は、ステップＳＴ１４においてある原文の１つの単語に複数の訳語が存在する場合、前記ＷＷＷサーバ２の前記英語ホームページに係わる文書のリンク先に日本語ホームページに係わる文書があるか否かを判断し（ＳＴ１５）、日本語ホームページに係わる文書があれば、その文書を取り込んで訳語選択参照部３５を格納する（ＳＴ１６）。そして、前記原文である英語ホームページに係わる文書と日本語ホームページに係わる文書とを比較参照し、当該日本語ホームページに係わる文書の中に原文単語に対応する日本語の語句があれば、それを優先的に選択し、原文単語の訳語として採用し翻訳処理を実行する（ＳＴ１７）。
【００８３】
従って、以上のような翻訳処理方法の実施の形態によれば、ＷＷＷサーバ２のハイパーテキストの文書である例えば英語ホームページに係わる文書またはそのリンク先である文書を翻訳するとき、一義的には辞書・文法記憶部３５を用いて翻訳するが、その原文である文書のある単語に関し、複数の訳語が存在するとき、英語ホームページに係わる文書のリンク先に日本語ホームページに係わる文書または日本語に係わる文書があるとき、その日本語ホームページに係わる文書または日本語に係わる文書を参照し、その中から原文である文書のある単語に対応する日本語の訳語を優先的に選択し翻訳するので、辞書・文法記憶部３５に選択訳語が不足している場合でも確実に翻訳できる。また、ハイパーテキストの文書においてその文書内にリンク先として英語に係わる文書および日本語に係わる文書があるとき、これらは内容的に同じ分野の文書で記述していることが多いので、日本語の訳語を優先的に選択して翻訳すれば、翻訳品質の向上を図ることができ、さらに翻訳処理の効率を上げることもできる。
【００８４】
また、以上のような翻訳処理用記録媒体３３を用いた翻訳処理システムによれば、ＷＷＷサーバ２から原文となる例えば英語ホームページに係わる文書およびその文書のリンク先の英語ホームページに係わる文書を取り込み、辞書・文法記憶部３５の文法に従って辞書から順次訳語を抽出し翻訳結果を得ることができる。
【００８５】
また、原文の１つの単語に複数の訳語が存在する場合、前記ＷＷＷサーバ２の英語ホームページに係わる文書のリンク先に日本語ホームページに係わる文書を取り出し、その文書を比較参照しながら最適な語句を見つけ出して翻訳処理を実現できる。
【図面の簡単な説明】
【００８６】
【図１】本発明に係わる辞書構築支援システムの一実施の形態を示す構成図。
【図２】辞書構築支援用記録媒体を説明するためのシステム構成図。
【図３】図２に示すシステムの動作および辞書構築支援方法を説明するフローチャート。
【図４】本発明に係わる翻訳システムの一実施の形態を示す構成図。
【図５】翻訳処理用記録媒体を説明するためのシステム構成図。
【図６】図４に示すシステムの動作および翻訳処理方法を説明するフローチャート。
【符号の説明】
【００８７】
１…翻訳システム
２、２１、…、２ｎ…ＷＷＷサーバ
３…コンピュータネットワーク
１０…辞書構築支援システム
１３…辞書構築支援用記録媒体
１５…辞書構築支援処理部
１６…同一内容判定部
１８…辞書構築支援処理本体部
２０…翻訳処理構成部分
２１…ユーザ端末機
３３…翻訳処理用記録媒体
３６…翻訳処理制御部
３７…訳語選択参照部
３９…翻訳処理制御本体部
【図１】
2007133906.tif 000003
【図２】
2007133906.tif 000004
【図３】
2007133906.tif 000005
【図４】
2007133906.tif 000006
【図５】
2007133906.tif 000007
【図６】
2007133906.tif 000008